(57)【要約】【課題】地面に打ち込まれた杭の杭頭高さ位置を基礎の支承に適した高さ位置に容易に設定でき、しかも、杭が仮に基礎中心から許容範囲を越えた偏心位置に打ち込まれてしまった場合であっても、基礎支承用の側方突出部を、基礎の支承に適した高さ位置に容易に備えさせれる杭の基礎支承構造を提供する。【解決手段】杭頭部材５が、杭２の上端部に備えられたネジ部３ａに上下方向に位置調整可能に螺合され、該杭頭部材５に基礎１が支承されている。杭２が基礎１の中心に対して許容範囲を越えた偏心位置において地面に打ち込まれた場合には、杭頭部材５として、基礎中心側に突出して基礎１を支承する側方突出部９を備えたものを用いる。【選択図】      図４
2006016806.tif 000002
【特許請求の範囲】
【請求項１】
複数本の杭が地面に打ち込まれ、各杭の上端部に備えられたネジ部に基礎支承用の杭頭部材が上下方向に位置調整可能に螺合され、該杭頭部材に基礎が支承されており、
前記杭頭部材が、
基礎中心に対して無偏心の位置又は許容範囲の偏心位置に打ち込まれた杭に用いられる１種又は２種以上の無偏心対応用杭頭部材、及び、
基礎中心に対して許容範囲を越えた偏心位置に打ち込まれた杭に用いられ、基礎中心側に突出して基礎を支承する側方突出部を備えた１種又は２種以上の偏心対応用杭頭部材
のうちの１種又は２種以上の杭頭部材からなっていることを特徴とする杭の基礎支承構造。
【請求項２】
前記杭頭部材のうちの少なくとも一つが偏心対応用杭頭部材からなっている請求項１に記載の杭の基礎支承構造。
【請求項３】
杭が基礎中心に対して許容範囲を越えた偏心位置において地面に打ち込まれ、基礎中心側に突出して基礎を支承する側方突出部を備えた杭頭部材が、前記杭の上端部に備えられたネジ部に上下方向に位置調整可能に螺合され、該杭頭部材に基礎が支承されていることを特徴とする杭の基礎支承構造。
【請求項４】
基礎中心に対して許容範囲を越えた偏心位置に打ち込まれた杭に用いられる偏心対応用杭頭部材であって、
杭の上端部に備えられるネジ部に対して上下方向に位置調整可能に螺合するネジ部と、基礎中心側に突出して基礎を支承する側方突出部とを備えていることを特徴とする偏心対応用杭頭部材。
【発明の詳細な説明】
【技術分野】
【０００１】
本発明は、杭の基礎支承構造に関する。
【背景技術】
【０００２】
例えば、複数本の鋼杭が地面に打ち込まれ、コンクリートの布基礎をこれら鋼杭で下から支承するような場合、各鋼杭の杭頭高さ位置をコンクリート基礎を支承するのに適した高さ位置に設定するのは、必ずしも容易ではない。
【０００３】
また、鋼杭は、基礎の中心位置に打つのが目標であるが、すべての鋼杭を基礎中心位置に打ち込んでいくのはなかなかに難しく、杭が許容範囲を越えた偏心位置に打ち込まれることもあり、そのような場合は、打ち込まれた鋼杭の上端部に、基礎中心側に張り出すブラケットを溶接で取り付け、ブラケットに基礎の荷重の一部又は全部を負担させることが行われるが、ブラケットを、地面に打ち込まれた鋼杭の上端部の基礎支承に適した高さ位置に溶接で取り付けるのは、必ずしも容易ではない。
【発明の開示】
【発明が解決しようとする課題】
【０００４】
本発明は、上記のような問題点に鑑み、地面に打ち込まれた杭の杭頭高さ位置を基礎の支承に適した高さ位置に容易に設定することができ、また、杭が仮に基礎中心から許容範囲を越えた偏心位置に打ち込まれてしまった場合であっても、基礎支承用の側方突出部を、基礎の支承に適した高さ位置に容易に備えさせることができる杭の基礎支承構造を提供することを課題とする。
【課題を解決するための手段】
【０００５】
上記の課題は、複数本の杭が地面に打ち込まれ、各杭の上端部に備えられたネジ部に基礎支承用の杭頭部材が上下方向に位置調整可能に螺合され、該杭頭部材に基礎が支承されており、
前記杭頭部材が、
基礎中心に対して無偏心の位置又は許容範囲の偏心位置に打ち込まれた杭に用いられる１種又は２種以上の無偏心対応用杭頭部材、及び、
基礎中心に対して許容範囲を越えた偏心位置に打ち込まれた杭に用いられ、基礎中心側に突出して基礎を支承する側方突出部を備えた１種又は２種以上の偏心対応用杭頭部材
のうちの１種又は２種以上の杭頭部材からなっていることを特徴とする杭の基礎支承構造（第１発明）によって解決される。
【０００６】
この構造では、基礎を支承する各杭頭部材が杭上端部のネジ部に上下方向に位置調整可能に備えられているので、このネジ機構によって、各杭頭部材を基礎支承に適した高さ位置に容易に設定することができる。
【０００７】
そして、上記の第１発明において、杭頭部材のうちの少なくとも一つが上記の偏心対応用杭頭部材からなっている場合（第２発明）は、該偏心対応用杭頭部材が、基礎支承用の側方突出部を備えたものからなっているので、該偏心対応用杭頭部材を上記のネジ機構によって上下方向に位置調整することで、側方突出部を基礎支承に適した高さ位置に容易に備えさせることができる。
【０００８】
また、上記の課題は、杭が基礎中心に対して許容範囲を越えた偏心位置において地面に打ち込まれ、基礎中心側に突出して基礎を支承する側方突出部を備えた杭頭部材が、前記杭の上端部に備えられたネジ部に上下方向に位置調整可能に螺合され、該杭頭部材に基礎が支承されていることを特徴とする杭の基礎支承構造（第３発明）って解決される。
【０００９】
この構造では、側方突出部を備えた杭頭部材が杭上端部のネジ部に上下方向に位置調整可能に備えられているので、このネジ機構によって、杭頭部材ひいては側方突出部を基礎支承に適した高さ位置に容易に備えさせることができる。
【００１０】
また、基礎中心に対して許容範囲を越えた偏心位置に打ち込まれた杭に用いられる偏心対応用杭頭部材であって、杭の上端部に備えられるネジ部に対して上下方向に位置調整可能に螺合するネジ部と、基礎中心側に突出して基礎を支承する側方突出部とを備えていることを特徴とする偏心対応用杭頭部材（第４発明）によっても、側方突出部を基礎支承に適した高さ位置に容易に備えさせることができる。
【発明の効果】
【００１１】
本発明は、以上のとおりのものであるから、地面に打ち込まれた杭の杭頭高さ位置を基礎の支承に適した高さ位置に容易に設定することができ、また、杭が仮に基礎中心から許容範囲を越えた偏心位置に打ち込まれてしまった場合であっても、基礎支承用の側方突出部を、基礎の支承に適した高さ位置に容易に備えさせることができる。また、本発明の構造によれば、基礎が不同沈下した場合の修復工事をネジ機構を利用して容易に進めていくことができる。
【発明を実施するための最良の形態】
【００１２】
次に、本発明の実施最良形態を図面に基づいて説明する。
【００１３】
図１〜図４に示す第１実施形態は、基礎１がコンクリートの布基礎からなり、杭２が鋼管杭からなっている。杭２は、回転圧入方式などで、図１に示すように、複数本地面に打ち込まれている。図１は、すべての杭２…を基礎１の中心位置に打ち込むのを目標として、幾本かの杭が基礎中心位置から偏心して打ち込まれてしまった場合を示している。
【００１４】
そして、地面に打ち込まれた各杭２の上端部には、図２（ハ）に示すように、ネジ部３ａを備えさせるための雌ネジ継ぎ手３が溶接などで取り付けられ、各杭２…の該ネジ部３ａにはそれぞれ、図２（イ）（ロ−１）（ロ−２）に示す３種の杭頭部材４，５，６から選ばれた杭頭部材が上下方向に位置調整可能に螺合連結され、該杭頭部材４，５，６に基礎１が支承されている。なお、各杭２の上端のネジ部は、杭打ち前に杭に備えられたものであってもによいし、杭打ち後に継ぎ手３を溶接で取り付けて備えられたものであってもよい。
【００１５】
上記の３種の杭頭部材４，５，６は何れも鋳鋼一体成形品からなっており、そのうち、図２（イ）に示す杭頭部材４は、基礎１の中心に対して無偏心の位置又は許容範囲の偏心位置に打ち込まれた杭に用いられる無偏心対応用杭頭部材であり、杭２の上端に備えられたネジ部３ａと螺合する雄のネジ部７が備えられると共に、該ネジ部７の上端側に無偏心用支承部８が備えられたＩ形の部材で、該支承部８上に基礎１が支承されている。
【００１６】
また、図２（ロ−１）（ロ−２）に示す２種の杭頭部材５，６は、基礎１の中心に対して許容範囲を越えた偏心位置に打ち込まれた杭に用いられる偏心対応用の杭頭部材で、雄のネジ部７の上端側に、基礎中心側に突出して基礎を支承する側方突出部９…が備えられている。
【００１７】
図２（ロ−１）に示す偏心対応用杭頭部材５は、側方突出部９が１つ備えられたＬ形の杭頭部材で、図１及び図３（ロ）に示すように、基礎１が直線的に延びる基礎一般部において、基礎中心から偏心して打ち込まれてしまった杭に用いられ、基礎１の直線一般部が側方突出部９で支承されている。
【００１８】
また、図２（ロ−２）に示す偏心対応用杭頭部材６は、２つの側方突出部９，９が互いに１８０°向きを異ならせて備えられたＴ形の杭頭部材で、図１に示すように、基礎１のコーナー部、三方分岐部、四方分岐部等の基礎１の非一般部において基礎中心から偏心して打ち込まれてしまった杭に用いられ、図３（ハ）に示すように、基礎１の相直交する二辺がこれら側方突出部９，９で支承されている。
【００１９】
なお、本実施形態では、各杭頭部材４，５，６の上面には複数の凸１０…が備えられ、該凸１０…が基礎１のコンクリート中に埋め込まれて、基礎１が水平力に対して強く抵抗することができるようになされている。
【００２０】
上記の基礎支承構造では、各杭２…の上端ネジ部３ａに各杭頭部材４，５，６…が上下方向に位置調整可能に備えられているので、各杭頭部材４，５，６を、ネジ機構によって、即ち、それらに対する回転操作によって、基礎支承に適した高さ位置に容易に設定することができる。
【００２１】
しかも、偏心して打ち込まれた杭に基礎を支承させるための側方突出部９…は杭頭部材５，６に備えられているので、上記のネジ機構によって、側方突出部９…を基礎支承に適した高さ位置に容易に備えさせることができる。図４（イ）（ロ）は、上端高さ位置が高低異なる杭２，２について、偏心対応用杭頭部材５，５の側方突出部９，９をそれぞれ、ネジ機構によって、基礎１，１の支承に適した同じ高さ位置に備えさせた状態を示している。
【００２２】
なお、図２（ロ−１）に示すＬ形の杭頭部材５の場合は、高さ位置の調整がネジ１ピッチ単位の精度で可能であり、図２（ロ−２）に示すＴ形の杭頭部材６ではネジ０．５ピッチ単位の精度で高さ調整が可能であり、また、図２（イ）に示すＩ形の杭頭部材４では無段階で高さ調整が可能である。
【００２３】
また、上記のように、杭頭部材に側方突出部を備えさせることにより、側方突出部を含む杭頭部材を、上記のように、鋳鋼一体成形品で構成することも可能となり、側方突出部を含む杭頭部材の製作を容易に行うことができる。
【００２４】
図５及び図６に示す第２実施形態は、基礎１がコンクリートの独立基礎の群からなる場合のもので、各基礎１の中心に杭２…を打ち込むのを目標として、幾本かの杭が基礎１中心位置から偏心して打ち込まれてしまった場合のものであり、無偏心位置ないしは偏心許容位置に打ち込まれた各杭２…の上端ネジ部にはそれぞれ、図２（イ）に示す無偏心対応用杭頭部材４…が螺合されて、図６（イ）に示すように基礎１を支承している。また、許容範囲を越える偏心位置に打ち込まれた各杭２…の上端ネジ部にはそれぞれ、図２（ロ−３）に示す同じく鋳鋼一体成形品からなる偏心対応用杭頭部材１１…が螺合され、該偏心対応用杭頭部材１１は、雄のネジ部７の上端側に２つの側方突出部９，９をＶ形に備えており、独立基礎１は、図６（ロ）（ハ）に示すように、これら二つの側方突出部９，９によって下から支承されている。その他は、第１実施形態と同様である。
【００２５】
本構造においても、各杭２…の上端ネジ部に各杭頭部材４，１１が上下方向に位置調整可能に備えられているので、各杭頭部材４，１１を、ネジ機構によって、基礎支承に適した高さ位置に容易に設定することができる。しかも、偏心して打ち込まれた杭に基礎を支承させるための側方突出部９，９は杭頭部材１１に備えられているので、上記のネジ機構によって、側方突出部９，９を基礎支承に適した高さ位置に容易に備えさせることができる。なお、本実施形態の偏心対応用杭頭部材１１では、高さ位置の調整がネジ１ピッチ単位の精度で可能である。
【００２６】
以上に、本発明の実施形態を示したが、本発明はこれに限られるものではなく、発明思想を逸脱しない範囲で各種の変更が可能である。例えば、本発明は、すべての杭が基礎中心位置ないしは許容範囲内の偏心位置に打ち込まれて、すべての杭に無偏心用杭頭部材が螺合されている場合も含み、その場合であっても、各杭頭部材を、ネジ機構によって、基礎支承に適した高さ位置に容易に設定することができる。また、本発明は、すべての杭が許容範囲を越える偏心位置に打ち込まれて、すべての杭に偏心用杭頭部材が螺合されている場合も含むのはもちろん、地面に打ち込まれる杭が一本でその杭に無偏心用杭頭部材又は偏心用杭頭部材が螺合されて基礎を支承している構造も含む。また、杭は、種々の鋼杭からなっていてもよいし、鋼杭以外の杭などからなっていてもよいし、基礎についても、上記のように連続基礎であるか独立基礎であるかを問わないし、また、コンクリート基礎以外の基礎、例えば鋼製基礎などであってもよい。また、第３、４発明は、基礎の不同沈下の修復工事に用いることも可能であり、修復工事を容易に進めることができる。
【図面の簡単な説明】
【００２７】
【図１】第１実施形態の構造を示すもので、基礎の平面図である。
【図２】図（イ）は第１、第２の構造に用いられる杭頭部材の斜視図、図（ロ−１）（ロ−２）は第１実施形態の構造に用いられる杭頭部材の斜視図、図（ロ−３）は第２実施形態の構造に用いられる杭頭部材の斜視図、図（ハ）は杭の上端部を示す断面側面図である。
【図３】図（イ）〜図（ハ）はそれぞれ、杭頭部材による基礎支承状態を示す拡大平面図である。
【図４】図（イ）及び図（ロ）はそれぞれ杭頭部材による杭支承状態を示す断面側面図である。
【図５】第２実施形態の構造を示すもので、基礎の平面図である。
【図６】図（イ）〜図（ハ）はそれぞれ、杭頭部材による基礎支承状態を示す拡大平面図である。
【符号の説明】
【００２８】
１…基礎
２…杭
３ａ…ネジ部
４…無偏心対応用杭頭部材
５，６…偏心対応用杭頭部材
７…ネジ部
９…側方突出部
１１…偏心対応用杭頭部材
【図１】
2006016806.tif 000003
【図２】
2006016806.tif 000004
【図３】
2006016806.tif 000005
【図４】
2006016806.tif 000006
【図５】
2006016806.tif 000007
【図６】
2006016806.tif 000008